(57)【要約】【課題】搬送物とローラ又はローラ本体における部材間で発生する静電気を逃がす対策を採るとともに、搬送物の運搬時における騒音を低減したコンベア用ローラを提供することである。【解決手段】  中空形状のローラ本体２と、当該ローラ本体２に取り付けられた中心軸５とを有し、前記ローラ本体２と中心軸５との間に軸受けが介在されていてローラ本体２と中心軸５とが相対的に回転するコンベア用ローラ１において、前記中心軸５にブラシ状部材３を取り付けて、当該ブラシ状部材３が前記ローラ本体２の内面に接する様に配置する。【選択図】図２
2010235264.tif 000002
【特許請求の範囲】
【請求項１】
中空形状のローラ本体と、当該ローラ本体に取り付けられた中心軸とを有し、前記ローラ本体と中心軸との間に軸受が介在されていてローラ本体と中心軸とが相対的に回転するコンベア用ローラにおいて、前記中心軸にはブラシ状部材が取り付けられており、当該ブラシ状部材が前記ローラ本体の内面に接していることを特徴とするコンベア用ローラ。
【請求項２】
ブラシ状部材は、銅合金を素材とする複数の線状部材を有し、当該線状部材自身の弾性によって当該ブラシ状部材が前記ローラ本体の内面に接していることを特徴とする請求項１に記載のコンベア用ローラ。
【請求項３】
中心軸の中間部分に、リング状部材が取り付けられ、当該リング状部材は中心軸に対して相対回転を許容し、当該リング状部材にブラシ状部材が取り付けられていることを特徴とする請求項１又は２に記載のコンベア用ローラ。
【請求項４】
中心軸は、ローラ本体に対して軸方向に移動可能であり、且つ中心軸にはバネ及びバネ受け座が取り付けられており、前記バネ受け座はバネの押圧力を中心軸に伝達するものであり、前記中心軸は前記バネによって所定の位置で安定する様に押圧されており、前記バネ受け座にブラシ状部材が取り付けられていることを特徴とする請求項１又は２に記載のコンベア用ローラ。
【発明の詳細な説明】
【技術分野】
【０００１】
本発明は、被搬送物を搬送するコンベア用ローラに係り、具体的には、ローラに発生した静電気を徐電する徐電装置を内蔵したコンベア用ローラに関する。
【背景技術】
【０００２】
従来、被搬送物を搬送するコンベアには、電子デバイスの運搬時における故障や、静電気による塵埃の付着による誤動作を防ぐ等の目的のため、様々な徐電装置や徐電方法が用いられている。また、このような徐電装置を用いた搬送装置（コンベア）が特許文献１に開示されている。ここで特許文献１に記載の搬送装置は、フレームに取り付けられたローラの間にブラシ状の部材を配置し、ブラシ状の部材を搬送物に接触させることにより、徐電を行うものである。
【先行技術文献】
【特許文献】
【０００３】
【特許文献１】特開２００８−３０９０７号公報
【発明の概要】
【発明が解決しようとする課題】
【０００４】
しかし、特許文献１に記載の搬送装置は、搬送中の物品が持つ静電気を確実に除去できる効果があるが、ローラ本体の静電気の除去が不可能であった。さらに、徐電部材をローラ間に配置する構造であるため設置上の制約があった。
【０００５】
そこで、設置上の制約がなく、ローラ本体の静電気を除去する方法として、スチールウール等の通電部材を丸めてローラ内に配置することにより、ローラを軸支している軸に静電気を流し、その軸に設けたアース線等を接地して徐電する方法が考えられる。しかしこの方法は、搬送時に通電部材が他の部材等と接触するため、発生する騒音が大きく、さらに、ローラ内を通電部材が移動することでベアリングやスプリングなど他の部材に干渉するという問題がある。
【０００６】
そこで本発明は、静電気を逃がす対策を採るとともに、搬送物の運搬時における騒音を低減したコンベア用ローラを提供することを目的とする。
【課題を解決するための手段】
【０００７】
上記課題を解決するための請求項１の発明は、中空形状のローラ本体と、当該ローラ本体に取り付けられた中心軸とを有し、前記ローラ本体と中心軸との間に軸受けが介在されていてローラ本体と中心軸とが相対的に回転するコンベア用ローラにおいて、前記中心軸にはブラシ状部材が取り付けられており、当該ブラシ状部材が前記ローラ本体の内面に接していることを特徴とするコンベア用ローラである。
【０００８】
本発明のコンベア用ローラでは、ブラシ状部材がローラ本体の内面に接するように取り付けられているため、ローラ本体をコンベアに配置する時の設置上の制約がない。したがって、従来のコンベア用ローラに換えて、本発明のコンベア用ローラを用いたときにコンベアの周辺部材をそのまま流用できるので、導入コストを低減できる効果がある。
また、該ブラシ状部材はブラシ状であることで、ローラ本体と接触している部分の摩擦係数を低くできる。したがって、中心軸に取り付けてコンベア用ローラを回転すると、ローラ本体の内面に接触した部分が、ローラ本体の内側の表面上を滑る様に相対的に移動する。
したがって、コンベア用ローラの回転を阻害したり、大きな騒音を発したりすることなく、ローラ本体の静電気を中心軸に流すことができる。
【０００９】
請求項２の発明は、ブラシ状部材は、銅合金を素材とする複数の線状部材を有し、当該線状部材自身の弾性によって当該ブラシ状部材が前記ローラ本体の内面に接していることを特徴とする請求項１に記載のコンベア用ローラである。
【００１０】
本発明のコンベア用ローラでは、ブラシ状部材が銅合金を素材とする複数の線状部材を有するので、線状部材を一本で実施した場合や、ニクロム線やガラス線の様な電気抵抗の高い素材や炭素繊維等の耐摩耗度の低い素材等を用いた場合に比べて、ローラ本体から中心軸に安全且つ効率よく電流を流すことができる。
【００１１】
請求項３の発明は、中心軸の中間部分に、リング状部材が取り付けられ、当該リング状部材は中心軸に対して相対回転を許容し、当該リング状部材にブラシ状部材が取り付けられていることを特徴とする請求項１又は２に記載のコンベア用ローラである。
【００１２】
本発明のコンベア用ローラでは、中心軸に対して相対回転を許容するリング状部材にブラシ状部材を取り付けることで、ブラシ状部材を取り付けるための加工等を中心軸に行う必要がないので、本発明のコンベア用ローラを低コストで導入できる。
また、ブラシ状部材を巻き付ける、結び付ける等の方法で直接中心軸に取り付けた場合に比べ、より強固に取り付けることができる。
【００１３】
請求項４の発明は、中心軸は、ローラ本体に対して軸方向に移動可能であり、且つ中心軸にはバネ及びバネ受け座が取り付けられており、前記バネ受け座はバネの押圧力を中心軸に伝達するものであり、前記中心軸は前記バネによって所定の位置で安定する様に押圧されており、前記バネ受け座にブラシ状部材が取り付けられていることを特徴とする請求項１又は２に記載のコンベア用ローラである。
【００１４】
本発明のコンベア用ローラでは、中心軸をローラ本体側に押し込むことができる。したがって、本発明のコンベア用ローラを取り付け対象部材（フレームや台座等）に配置時における、中心軸の取り付け対象部材への衝突を防ぐことができるので、取り付け作業が容易になる。さらに、中心軸がバネによって付勢されているので、ローラの回転時に取り付け対象部材からローラが外れにくい。
【００１５】
さらに、バネによって付勢されているバネ受け座にブラシ状部材を取り付けることで、ブラシ部材が軸に対して相対的に移動して、ベアリングやバネ等の規定の部材以外の部材に干渉することを防止できる。さらにまた、ブラシ状部材を端部から離れた位置（中心軸の中心に近い位置）に設置できるため、ブラシ状部材が規定の部材以外の部材と干渉し難い構造にすることができる。
加えて、バネ受け座にブラシ状部材を取り付けることで、別途のリング状部材の様な取り付け用部材を用いる場合に比べて、部品点数を少なくでき、本発明のコンベア用ローラの導入コストを低減できる。
【発明の効果】
【００１６】
本発明は、設置上の制約が無い静電気対策を実施すると共に、搬送物の運搬時における騒音を低減したコンベア用ローラを提供することができる。
【図面の簡単な説明】
【００１７】
【図１】本発明を実施することができるローラコンベア装置の斜視図である。
【図２】本発明の具体的実施例におけるコンベア用ローラの断面図である。
【図３】図２のコンベア用ローラで用いるリング状部材の正面図である。
【図４】図３のリング状部材のＡ−Ａ面の切断部端面図である。
【発明を実施するための形態】
【００１８】
続いて、本発明の一実施形態にかかる、コンベア用ローラ１について図面を参照しながら詳細に説明する。図２に示す様に、本発明のコンベア用ローラ１は、略円柱状の部材であるローラ本体２の内部にブラシ状部材３（線状部材）が配置されたものである。
具体的に説明すると、ローラ本体２の中心に、中心軸５が貫通して設けられていて、この中心軸５にリング状部材４（バネ受け座）、バネ６、止め金８が取り付けられている。そしてローラ本体２の両端には閉塞部材７（軸受）が設けられ、当該閉塞部材７を介してローラ本体２が中心軸５に軸支されている。即ち、ローラ本体２は中心軸５と相対的に回転可能に取り付けられている。そしてリング部材４は、ブラシ状部材３が取り付けられた状態で配置しているものである。
【００１９】
ローラ本体２は筒状であり、外側表面には、ローラの周方向に他のローラから動力を伝達するための凹部２ａが設けられている。
【００２０】
ブラシ状部材３は銅合金（真鍮）であり、弾性を持つ細い線状の部材が複数集まって形成されている。即ち、一方の端部が束ねられており、他方の端部が放射状に広がっている箒の様な形状をしている。なお、このブラシ状部材３は導電体であり、静電気を流すことが可能である。そして、このブラシ状部材３は一方の端部がリング状部材４に取り付けられており、他方の端部がローラ本体２の内面に接触して配置されている。
【００２１】
ここで、ブラシ状部材３は銅合金を使用しているがブラシ状部材３に用いる素材はこれに限るものではない。例えば炭素繊維のような化学繊維や錫メッキ銅線の様な金属線を用いてもよい。つまり、静電気を流すことのできる導電体であればよい。
【００２２】
また、本実施形態のブラシ状部材３は弾性を持つ部材を使用しているが、ブラシ状部材に使用する部材は弾性を持つ部材に限るものではない。例えば、弾性は無くてもの摩擦係数の少ない部材を用いることで、コンベア用ローラの回転時における騒音の発生を防ぐことができる。つまり、ブラシ状部材３はローラ本体２に接触した状態で回転した際に、その回転を阻害せず、騒音が発生しなければよい。
【００２３】
リング状部材４は座金形状の導体であり、外径が略円形の部材の中心部分に貫通孔４ｂを設けた略ドーナツ状の部材である。
図３、図４で示される様にリング状部材４の略中心部分に設けた貫通孔４ｂの開口の形状は円形であり、中心軸５を挿通可能な大きさである。そして、貫通孔４ｂに中心軸５を挿通することで、リング状部材４を中心軸５に固定することができる。
そして、リング状部材４は円形の外周部分の一部から、円の中心から離れる方向に突出する突部４ａを有している。突部４ａの突出方向の先端側は、突出方向と垂直な方向に伸びており、さらにその一端が折り曲げられている。即ち、突部４ａは正面視が略「Ｔ」字型であり、突出方向から見た形状は略「く」の字型である。
【００２４】
図２で示されるように中心軸５は、断面が円形のパイプ状の部材であり、その両端部を断面が六角形となる様にプレス加工等で加工している。即ち、両端部の断面は六角形あり、それ以外の部分の断面は円形になっている。また、中心軸５の表面にはそれぞれの端部よりの位置に、表面を切り起こした突起５ａ、５ｂが設けられている。
【００２５】
バネ６はつる巻バネであり、巻径は中心軸５の太い部分を挿通可能な大きさである。即ち、バネ６は中心軸５に巻きつけるように配置することができる。
【００２６】
閉塞部材７はローラ本体２の両端の開口部を閉塞するキャップ状の部材であり、ローラ本体２に対して一体的に取り付けられている一対の閉塞部材７Ａと閉塞部材７Ｂで構成されている。そして、閉塞部材７Ａ、７Ｂはそれぞれ、上記開口部を閉塞して軸を保持する蓋部材７ａと、ボールベアリング７ｂと、ローラ本体２への取り付け状態において姿勢を保持するための固定部材７ｃの３つの部材から形成されている。
【００２７】
ここで、蓋部材７ａは中心部に貫通孔が設けられている。即ち、閉塞部材７のローラ本体２への取り付け状態において、中心軸５が通る位置に貫通孔がある。そして、蓋部材７ａの貫通孔の周辺は貫通孔の中心線と平行な方向に伸びており、挿通した中心軸５の姿勢を保持することができる。また、蓋部材７ａは貫通孔の中心線と垂直に伸びた部分を有しており、ローラ本体２への取り付け状態において、この部分がローラ本体２の開口部を閉塞する。
【００２８】
さらに、ボールベアリング７ｂは従来周知のボールベアリングであり、閉塞部材７のローラ本体２への取り付け状態において、蓋部材７ａと固定部材７ｃに挟まれる様に配される。具体的に説明すると、ボールベアリング７ｂは、中央にある貫通孔に、蓋部材７ａの貫通孔の中心線と垂直に伸びた部分が挿通された状態で配される。
【００２９】
固定部材７ｃはローラ本体２の端部の形状に沿う様な形状であり、ローラ本体２の端部に固定することが可能な部材である。この固定部材７ｃは、中心部分に貫通孔を有しており、ローラ本体２への取り付け状態において、中心軸５を挿通可能である。そして、貫通孔の近傍にはボールベアリング７ｂを嵌入可能な段差部分を有しており、ボールベアリング７ｂを取り付けることができる。また、固定部材７ｃは、蓋部材７ａを取り付けた状態でボールベアリング７ｂを装着しても蓋部材７ａが固定部材７ｃに当接しない形状である。
【００３０】
止め金８は、円形の部材の中心部分に貫通孔が設けられているドーナツ状の部材である。そして、外径は閉塞部材７の貫通孔の開口より大きくなっており、貫通孔の開口の大きさは中心軸５が挿通可能な大きさである。
【００３１】
次に本発明のコンベア用ローラ１の組み立て構成について述べる。上述した様にコンベア用ローラ１はローラ本体２の内部にそれぞれの部材が配され、中心軸５に対してローラ本体２が回転可能に取り付けられているものである。
ブラシ状部材３は一端を、リング状部材４の凸部４ａの細い部分に巻き付けて、ねじった状態で、凸部４ａをかしめることでリング状部材４に取り付けられている。そのため、取り付けたブラシ状部材３が外れにくい構成となっている。
【００３２】
ブラシ状部材３を構成している各線状部材は弾性を有しており、図３に示される様に、直線状に伸びている。そして、ローラ本体２の内部に配置することにより、各線状部材のローラ本体２の内側表面に接触している部分は、接触している面に沿うような形状となる。したがって、ブラシ状部材３の各線状部材の長さは、中心軸５からローラ本体２の内側表面への距離の長さより長くなっている。
また、各線状部材は、線状部材自身の弾性によりローラ本体２側に付勢されて、接触状態を保っている。
【００３３】
ここで、ブラシ状部材３を構成している各線状部材は、ローラ本体２の内部に配置したときに、リング状部材４より中心軸５の長手方向の中心側の、ローラ本体の内側表面に接触するように配置している。
このとき、ブラシ状部材３を構成している各線状部材の一部は、ローラ本体２の内側表面の中心軸５の方向へ突出する部分（表面に凹部２ａを設けたことにより突出している部分）と接触している。
【００３４】
中心軸５の一方の端部にはリング状部材４が取り付けられており、他端には止め金８が取り付けられている。具体的に説明すると、中心軸５は一端がリング状部材４の貫通孔４ｂに挿通され、もう一端が止め金８の中心部分に設けられた貫通孔に挿通されるように配置されている。このとき、リング状部材４は突起５ａの近傍に配置され、止め金８は突起５ｂ近傍に配置される。なお、リング状部材４と止め金８はそれぞれ突起５ａ、５ｂと当接することで、その移動が制限され、それぞれが当接する突起が設けられている位置よりも中心軸５の中心側に移動しない。
【００３５】
さらに、中心軸５のリング状部材４が取り付けられている端部には、バネ６が中心軸５に巻きつけるように取り付けられており、バネ６は突起５ａとの間にリング状部材４を挟むように配置されている。換言すると、リング状部材４より中心軸５の端寄りの位置に配置されている。そして、バネ６はリング状部材４を介して、中心軸５を付勢している。
【００３６】
閉塞部材７は筒状のローラ本体２の両端を塞ぐように配置されている。そして、それぞれの蓋部材７ａの貫通孔には中心軸５が挿通されている。ここで、中心軸５が挿通されている蓋部材７ａは、ボールベアリング７ｂの中心にある貫通孔に回転可能な状態で挿通されている。さらにボールベアリング７ｂは固定部材７ｃに固定されており、固定部材７ｃはローラ本体２に固定されているため、ローラ本体２は中心軸５によって軸支される。
【００３７】
ここで、本発明のコンベア用ローラ１は、中心軸５をローラ本体２に押し込むことができる。
【００３８】
具体的に説明すると、ローラ本体２を固定した状態で、中心軸５の閉塞部材７Ｂを設けている側（図２における右側）の端部をローラ本体２側へ押圧する。すると、中心軸５は
図２における左方向へ移動する。中心軸５が移動すると、突起５ａがリング部材４を押圧するので、リング部材４も中心軸５と共に同方向へ移動する。その時、リング部材４はバネ６と当接しており、バネ６は閉塞部材７Ａと当接しているため、リング部材４はバネ６を圧縮させながら図２における左方向へ移動する。
そして中心軸５への押圧を止めると、バネ６がその圧縮力によりリング部材４を押圧し、リング部材４が突起５ａを押圧することで、中心軸５が力を加える前の位置まで戻る。
【００３９】
上記のように組み立てたコンベア用ローラ１は、図１に示すローラコンベアの様に、平行に配された２本のフレームや台座等の固定用部材に装着して使用する。即ち、図１に示すローラコンベアのコンベア用ローラ１０３の代わりに適宜の数を装着して使用する。換言すると、コンベア用ローラ１０３の全て又はいくつかをコンベア用ローラ１と交換して使用する。以下本発明のコンベア用ローラ１の作用効果について述べる。
【００４０】
本発明のコンベア用ローラ１は、ローラ本体２が中心軸５に対して相対回転すると、ブラシ状部材３の先端部分はローラ本体２の内側表面における接触位置を変化させる。つまり、ブラシ状部材３の先端部分はローラ本体２の内側表面を相対的に移動する。
このとき、ブラシ状部材３は細い線状の部材が複数集まった部材であるため、摩擦係数が低い。したがって、ブラシ状部材３の先端部分がローラ本体２の内側表面を滑る様に相対移動し、大きな騒音が発生しない。
【００４１】
さらに、ブラシ状部材３を取り付けているリング状部材４はバネ６によって、中心軸５の中心側に付勢されている。そのため、リング状部材４とブラシ状部材３は移動範囲を制限されている。そのため、ブラシ状部材３、或いはリング状部材４（本発明ではリング状部材４）が移動して、干渉すべきでない部材（ベアリング等）への干渉を防止している。
また、リング状部材４が上記のように付勢されていることにより、コンベア用ローラ１の回転中に、中心軸５の長手方向に移動しない。したがって、ブラシ状部材３の中心軸５とローラ本体２に対する相対的な位置も固定されているため、ブラシ状部材３が移動することによって大きな騒音が発生しない。
【００４２】
また、本発明のコンベア用ローラ１は、中心軸５をローラ本体２に押し込むことができるので、したがって、コンベア用ローラ１をコンベアに取り付ける際に、中心軸５がフレーム等の他の部材に衝突することを避けることが可能である。
さらに、バネ６が中心軸５を付勢することで、コンベアに対する中心軸５の長手方向の中心の位置がバネ６によって決定されるので、中心軸５の中心の位置を設定する必要がない。したがって、本発明のコンベア用ローラ１はコンベアへの取り付け作業が容易であり、効率よく作業を行うことができる。
【００４３】
本発明のコンベア用ローラ１は、コンベアを構成する場合において、本発明のコンベア用ローラ１のみを複数用いて構成してもよいし、他のコンベア用ローラと共に用いてもよい。例えば、モータを内蔵した駆動用ローラと共に用いて、駆動用ローラの動力をゴムベルト等の伝導部材により伝達し、コンベア用ローラ１を回転させた状態で使用してもよい。
【００４４】
本実施形態のブラシ状部材３は直線状に伸びた弾性を持つ線状部材を、ローラ本体２の内部に挿入することで、ローラ本体２の内面に沿う形状にして使用したが、線状部材の挿入時の形状はこれに限るものではない。例えば、予め線状部材を加工して、鉤形や熊手のような形状にしてからローラ本体２に挿入してもよい。
【００４５】
本実施形態で使用した中心軸５は中心部の断面が円形であり、両端部の断面が六角形のパイプ状の部材であるが、中心軸５の形状はこれに限るものではない。例えば、両端部を加工せずに、何れの部分の断面の形状も円形になるようにしてもよい。また、断面の形状
も円形や六角形に限るものではない。例えば、断面が円形のパイプの一部をプレス等により加工した、略「Ｄ」字型でもよい。また、中心部分が中空であるパイプ状でなく棒状の部材を使用してもよい。要は、ローラ本体２を軸支可能であり、ブラシ状部材３、又はブラシ状部材３を取り付けた部材（本実施形態ではリング状部材４）を固定できればよい。
【００４６】
なお、本実施形態のローラ本体２には凹部２ａが設けられているが、動力を伝達する必要がないフリーローラとして、本発明のコンベア用ローラ１を使用する場合、凹部２ａを設ける必要はない。また、凹部２ａの配置場所はこれに限るものではない。即ち、搬送物の大きさや形状、ローラコンベアの使用方法等に応じて、凹部２ａを設ける場所を端部や中心部等の他の場所にしてもよい。そして、凹部２ａの形状もこれに限るものではない。動力を伝達するため部材の形状や大きさ等に合わせて自由に変更してもよい。
【００４７】
また、本実施形態のブラシ状部材３は細い線状の部材を集めることで形成しているが、ブラシ状部材の形成方法はこれに限るものではない。例えば、板状や棒状の部材の一端を細かく裂くことでブラシ状部材３としてもよい。また、細い線状の部材を一本でブラシ状部材３として使用してもよい。
【００４８】
さらにまた、本発明のブラシ状部材３はローラ本体２に常に接触しているが、ブラシ状部材３を常に接触する構造にしなくてもよい。例えば、数分又は数秒に一回接触する構造にしてもよい。すなわち、ローラ本体２の内面に突起を設けて、回転時において所定の位置関係になった場合のみ接触する構造やブラシ状部材３が移動して接触する構造などを採用してもよい。即ち、ある程度電荷が蓄えられた状態で徐電できればよい。
【符号の説明】
【００４９】
１  コンベア用ローラ
２  ローラ本体
２ａ  凹部
３  ブラシ状部材（線状部材）
４  リング状部材（バネ受け座）
４ａ  突起
５  中心軸
６  バネ
７  閉塞部材（軸受）
８  止め金
【図１】
2010235264.tif 000003
【図２】
2010235264.tif 000004
【図３】
2010235264.tif 000005
【図４】
2010235264.tif 000006